【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
カラー画像における複数の色成分のうちの少なくとも１つ以上の色成分の解像度が他の色成分の解像度より低い第１の画像を生成する画像生成手段と、
前記画像生成手段で生成された第１の画像を下地画像として保持する保持手段と、
オブジェクト画像を含む矩形領域を抽出する領域抽出手段と、
前記領域抽出手段で抽出された矩形領域において、前記オブジェクト画像の領域と背景画像の領域とを特定する特定手段と、
前記下地画像について、前記特定手段で特定されたオブジェクト画像に対応する領域の穴埋め処理を行う穴埋め処理手段とを有し、
前記穴埋め処理手段は、前記オブジェクト画像と前記下地画像との境界と前記オブジェクト画像と前記背景画像との境界とでそれぞれ異なる穴埋め処理を行うことを特徴とする画像処理装置。
【請求項２】
前記穴埋め処理手段は、前記オブジェクト画像と前記下地画像との境界を前記下地画像の色で穴埋め処理し、前記オブジェクト画像と前記背景画像との境界を前記背景画像の色で穴埋め処理し、前記境界でない前記オブジェクト画像に対応する領域を、前記背景画像の色で穴埋め処理することを特徴とする請求項１に記載の画像処理装置。
【請求項３】
前記下地画像を高解像度化する高解像度化手段を更に有し、
前記特定手段は、前記高解像度化手段で高解像度化された画像の色特徴に基づいて前記矩形領域を複数の領域に分割し、更に当該分割された複数の領域に基づいて前記オブジェクト画像の領域と前記背景画像の領域とを特定することを特徴とする請求項１又は２に記載の画像処理装置。
【請求項４】
前記特定手段で特定されたオブジェクト画像をベクトル化するベクトル化手段と、
前記ベクトル化手段でベクトル化されたオブジェクト画像のベクトルデータと、前記穴埋め処理手段で穴埋め処理された下地画像のデータとを含むデータを出力する出力手段とを更に有することを特徴とする請求項１乃至３の何れか１項に記載の画像処理装置。
【請求項５】
前記オブジェクト画像とは、クリップアート画像であり、
前記領域抽出手段は、前記クリップアート画像を含む矩形領域を抽出することを特徴とする請求項１乃至４の何れか１項に記載の画像処理装置。
【請求項６】
前記画像生成手段は、前記カラー画像に対して、ＹＣｒＣｂ色空間上におけるＣｒ成分及びＣｂ成分の少なくとも何れかの解像度を低下させることにより、前記カラー画像における複数の色成分のうちの少なくとも１つ以上の色成分の解像度が他の色成分の解像度より低い画像を生成することを特徴とする請求項１乃至５の何れか１項に記載の画像処理装置。
【請求項７】
前記カラー画像の解像度を低下させ、色の量子化を行い第２の画像を生成する手段と、
前記カラー画像の輝度情報に基づく第３の画像を生成する手段と、
前記第２の画像に対して領域解析処理を行う領域解析手段と、
前記領域解析手段で文字領域と解析された領域に対して、前記第３の画像における文字画像のベクトル化処理を行うことにより文字画像のベクトルデータを生成する文字部ベクトル化手段と、
前記下地画像について、前記文字画像に対応する領域の穴埋め処理を行う文字穴埋め処理手段と、
を更に有することを特徴とする請求項１乃至６の何れか１項に記載の画像処理装置。
【請求項８】
前記カラー画像は、前記第１の画像と前記第２の画像と前記第３の画像を生成した後に削除されることを特徴とする請求項７に記載の画像処理装置。
【請求項９】
カラー画像における複数の色成分のうちの少なくとも１つ以上の色成分の解像度が他の色成分の解像度より低い第１の画像を生成する手段と、
前記カラー画像の解像度を低下させ、色量子化した第２の画像を生成する手段と、
前記カラー画像の輝度情報に基づく第３の画像を生成する手段と、
前記第２の画像に対して領域解析処理を行う領域解析手段と、
前記領域解析手段で文字領域と解析された領域に対して、前記第３の画像における文字画像のベクトル化処理を行うことにより文字画像のベクトルデータを生成する文字部ベクトル化手段と、
前記第１の画像に対して、前記文字部ベクトル化手段でベクトル化処理された文字画像に対応する領域の穴埋め処理を行う文字部穴埋め処理手段と、
前記領域解析手段で図画領域と解析された領域に対して、前記文字穴埋め処理手段で穴埋め処理された第１の画像における前記図画領域のベクトル化処理を行うことにより図画のベクトルデータを生成する図画部ベクトル化手段と、
前記文字穴埋め処理手段で穴埋め処理された第１の画像に対して、前記図画部ベクトル化手段でベクトル化処理された図画領域に対応する領域の穴埋め処理を行う図画部穴埋め処理手段と、
前記文字部ベクトル化手段で生成された文字画像のベクトルデータと、前記図画部ベクトル化手段で生成された図画のベクトルデータと、前記文字部穴埋め処理手段及び前記図画部穴埋め処理手段により穴埋め処理された第１の画像とを含む電子ファイルを生成する電子ファイル生成手段と、
を有することを特徴とする画像処理装置。
【請求項１０】
前記図画部ベクトル化手段は、前記領域解析手段で図画領域と解析された領域のうち、ベクトル化処理が可能と判定された領域に対してベクトル化処理を行うことにより図画のベクトルデータを生成し、ベクトル化処理が不可能と判定された領域に対しては該当する領域のラスター画像を切り出して矩形領域の画像を生成し、
前記電子ファイル生成手段は、前記文字部ベクトル化手段で生成された文字画像のベクトルデータと、前記図画部ベクトル化手段で生成された図画のベクトルデータ及び前記矩形領域の画像と、前記文字部穴埋め処理手段及び前記図画部穴埋め処理手段により穴埋め処理された第１の画像とを含む電子ファイルを生成することを特徴とする請求項９に記載の画像処理装置。
【請求項１１】
画像生成手段が、カラー画像における複数の色成分のうちの少なくとも１つ以上の色成分の解像度が他の色成分の解像度より低い第１の画像を生成する画像生成工程と、
保持手段が、前記画像生成工程で生成された第１の画像を下地画像として保持する保持工程と、
領域抽出手段が、オブジェクト画像を含む矩形領域を抽出する領域抽出工程と、
特定手段が、前記領域抽出工程で抽出された矩形領域において、前記オブジェクト画像の領域と背景画像の領域とを特定する特定工程と、
穴埋め処理手段が、前記下地画像について、前記特定工程で特定されたオブジェクト画像に対応する領域の穴埋め処理を行う穴埋め処理工程とを有し、
前記穴埋め処理工程では、前記オブジェクト画像と前記下地画像との境界部分と、前記オブジェクト画像と前記背景画像との境界部分とでそれぞれ異なる穴埋め処理を行うことを特徴とする画像処理方法。
【請求項１２】
第１の画像を生成する手段が、カラー画像における複数の色成分のうちの少なくとも１つ以上の色成分の解像度が他の色成分の解像度より低い第１の画像を生成する工程と、
第２の画像を生成する手段が、前記カラー画像の解像度を低下させ、色量子化した第２の画像を生成する工程と、
第３の画像を生成する手段が、前記カラー画像の輝度情報に基づく第３の画像を生成する工程と、
領域解析手段が、前記第２の画像に対して領域解析処理を行う領域解析工程と、
文字部ベクトル化手段が、前記領域解析工程で文字領域と解析された領域に対して、前記第３の画像における文字画像のベクトル化処理を行うことにより文字画像のベクトルデータを生成する文字部ベクトル化工程と、
文字部穴埋め処理手段が、前記第１の画像に対して、前記文字部ベクトル化工程でベクトル化処理された文字画像に対応する領域の穴埋め処理を行う文字部穴埋め処理工程と、
図画部ベクトル化手段が、前記領域解析工程で図画領域と解析された領域に対して、前記文字穴埋め処理工程で穴埋め処理された第１の画像における前記図画領域のベクトル化処理を行うことにより図画のベクトルデータを生成する図画部ベクトル化工程と、
図画部穴埋め処理手段が、前記文字穴埋め処理工程で穴埋め処理された第１の画像に対して、前記図画部ベクトル化工程でベクトル化処理された図画領域に対応する領域の穴埋め処理を行う図画部穴埋め処理工程と、
電子ファイル生成手段が、前記文字部ベクトル化工程で生成された文字画像のベクトルデータと、前記図画部ベクトル化工程で生成された図画のベクトルデータと、前記文字部穴埋め処理工程及び前記図画部穴埋め処理工程により穴埋め処理された第１の画像とを含む電子ファイルを生成する電子ファイル生成工程と、
を有することを特徴とする画像処理方法。
【請求項１３】
コンピュータを請求項１乃至１０の何れか１項に記載の画像処理装置として機能させるためのプログラム。
【請求項１４】
請求項１３に記載のプログラムを記録した、コンピュータにより読み取り可能な記録媒体。